(57)【要約】【課題】  信号線のトレースパターンやトレース幅などの設計に、より一層の自由度が得られると共に、特性インピーダンスの調整の上でもより一層の自由度が得られる電磁シールドされた信号伝達基板を提供する。【解決手段】  平型帯状の可撓性絶縁基板３０の一面に長手方向に沿って信号線２０が設けられていると共に、可撓性絶縁基板３０の両面に信号線２０を電磁シールドするための網導体５０、６０が積層されており、網導体５０、６０の網目５６、６６が、ランダムに形成されて、信号伝達基板である平型柔軟ケーブル１０が構成されている。【選択図】  図１Ａ
2005244029.tif 000002
【特許請求の範囲】
【請求項１】
絶縁基板（３０）の一面の一つの端部から他の端部に亘って少なくとも１本の信号線（２０）が設けられていると共に、
前記絶縁基板（３０）の両面に網導体（５０、６０）が積層されており、
前記網導体（５０、６０）の網目（５６、６６）が、ランダムに形成されていることを特徴とする信号伝達基板。
【請求項２】
前記網導体（５０、６０）は、網目（５６、６６）の大きさがランダムに変化している請求項１に記載の信号伝達基板。
【請求項３】
前記網導体（５０、６０）は、網目（５６、６６）の形状がランダムに変化している請求項１に記載の信号伝達基板。
【請求項４】
前記網導体（５０、６０）は、網目（５６、６６）を構成する導体（５４、６４）の交点（５５、６５）がランダムに変化している請求項１に記載の信号伝達基板。
【請求項５】
前記網導体（５０、６０）は、絶縁基板（３０）の信号線（２０）が設けられた一面に、第２の絶縁基板（７０）を介して積層され、絶縁基板（３０）の他面には直接積層されている請求項１〜４のいずれかに記載の信号伝達基板。
【請求項６】
前記絶縁基板（３０）および第２の絶縁基板（７０）が、平型帯状の可撓性絶縁基板（３０、７０）とされ、平型柔軟ケーブル（１０）の状態にされている請求項１〜５のいずれかに記載の信号伝達基板。
【請求項７】
前記絶縁基板（３０）の一面側の端部に、前記信号線（２０）と導通している信号用接点パッド（２１）と、前記一面側に積層した網導体（５０）と導通しているグランド用接点パッド（５３）が並列して設けられ、前記絶縁基板（３０）の他面側の端部に、前記一面側の信号用接点パッド（２１）と絶縁基板（３０）を挟んで対向するダミーパッド（４１）と、前記他面側に積層した網導体（６０）と導通し、かつ前記一面側のグランド用接点パッド（５３）と絶縁基板（３０、７０）を挟んで対向するグランド用接点パッド（６３）が並列して設けられている請求項１〜６のいずれかに記載の信号伝達基板。
【請求項８】
前記一面側に設けたグランド用接点パッド（５３）と他面側に設けたグランド用接点パッド（６３）は、導電性バンプ（６７）またはめっきスルーホール（１０５）によって導通が図られている請求項７に記載の信号伝達基板。
【請求項９】
前記一面側に設けた信号用接点パッド（２１）と他面側に設けたダミーパッド（４１）は、導電性バンプまたはめっきスルーホールによって導通が図られている請求項７または８に記載の信号伝達基板。
【請求項１０】
前記一面側に設けた信号用接点パッド（２１）とグランド用接点パッド（５３）は、表面が略面一にされている請求項７〜９のいずれかに記載の信号伝達基板。
【請求項１１】
前記他面側に設けたダミーパッド（４１）とグランド用接点パッド（６３）は、表面が略面一にされている請求項７〜９のいずれかに記載の信号伝達基板。
【請求項１２】
絶縁基板（３０）の一面の一つの端部から他の端部に亘って少なくとも１本の信号線（２０）が設けられていると共に、前記絶縁基板（３０）の両面に、網導体（５０、６０）が積層されている信号伝達基板（１０）と、この信号伝達基板用のコネクタ（９０）との接続構造であって、
前記信号伝達基板（１０）の接続端部において、
前記絶縁基板（３０）の一面側に、前記信号線（２０）と導通している信号用接点パッド（２１）と、前記一面側に積層した網導体（５０）と導通しているグランド用接点パッド（５３）が並列して設けられ、
前記絶縁基板（３０）の他面側に、前記信号用接点パッド（２１）と絶縁基板（３０）を挟んで対向するダミーパッド（４１）と、前記他面側に積層した網導体（６０）と導通し、かつ前記グランド用接点パッド（５３）と絶縁基板（３０、７０）を挟んで対向するグランド用接点パッド（６３）が並列して設けられ、
絶縁基板（３０）を挟んで対向させた信号用接点パッド（２１）とダミーパッド（４１）並びにグランド用接点パッド（５３）とグランド用接点パッド（６３）がそれぞれ、前記コネクタ（９０）に設けられた端子（９３）の、対向する２本のコンタクトビーム（９１、９２）で挟持され、各コンタクトビーム（９１、９２）のコンタクト部（９１ａ、９２ａ）と対応する接点パッド（２１、４１、５３、６３）が所定の接圧で当接、係合していることを特徴とする接続構造。
【請求項１３】
絶縁基板（３０）の一面の一つの端部から他の端部に亘って少なくとも１本の信号線（２０）が設けられていると共に、前記絶縁基板（３０）の両面に、網導体（５０、６０）が積層されている信号伝達基板（１０）と、この信号伝達基板用のコネクタ（１００）との接続構造であって、
前記信号伝達基板（１０）の接続端部において、
前記絶縁基板（３０）の一面側に、前記信号線（２０）と導通している信号用接点パッド（２１）と、前記一面側に積層した網導体（５０）と導通しているグランド用接点パッド（５３）が並列して設けられ、
前記絶縁基板（３０）の他面側に、前記信号用接点パッド（２１）と絶縁基板（３０）を挟んで対向するダミーパッド（４１）と、前記他面側に積層した網導体（６０）と導通し、かつ前記グランド用接点パッド（５３）と絶縁基板（３０、７０）を挟んで対向するグランド用接点パッド（６３）が並列して設けられ、
前記絶縁基板（３０）の一面側に設けた信号用接点パッド（２１）とグランド用接点パッド（５３）に、前記コネクタ（１００）に設けられた端子（１０１）のコンタクト部（１０２ａ）が所定の接圧で当接、係合していると共に、
前記絶縁基板（３０）の一面側に設けたグランド用接点パッド（５３）と他面側に設けたグランド用接点パッド（６３）が、絶縁基板（３０）を通して導通させてあることを特徴とする接続構造。
【請求項１４】
前記一面側に設けたグランド用接点パッド（５３）と他面側に設けたグランド用接点パッド（６３）は、導電性バンプ（６７）またはめっきスルーホール（１０５）によって導通が図られている請求項１３に記載の接続構造。
【請求項１５】
前記一面側に設けた信号用接点パッド（２１）と他面側に設けたダミーパッド（４１）は、導電性バンプまたはスルーホールによって導通が図られている請求項１３または１４に記載の接続構造。
【請求項１６】
前記一面側に設けた信号用接点パッド（２１）とグランド用接点パッド（５３）は、表面が略面一にされている請求項１２〜１５のいずれかに記載の接続構造。
【請求項１７】
前記他面側に設けたダミーパッド（４１）とグランド用接点パッド（６３）は、表面が略面一にされている請求項１２〜１５のいずれかに記載の接続構造。
【請求項１８】
前記絶縁基板（３０）は、平型帯状の可撓性絶縁基板（３０）とされ、信号伝達基板（１０）が可撓性平型ケーブル（１０）とされている請求項１２から１７のいずれかに記載の接続構造。
【発明の詳細な説明】
【技術分野】
【０００１】
この発明は、信号線に対して電磁シールドを設けた信号伝達基板と、このような信号伝達基板とコネクタの接続構造に関する。
【背景技術】
【０００２】
従来、信号伝達手段の一つとして、平型帯状の可撓性絶縁基板の一面に信号線を設け、他面に信号線に対する電磁シールドとして金属板を設けた平型柔軟ケーブルや、金属板に代えて金属網を設けてケーブルの柔軟性を向上させた平型柔軟ケーブルが公知である。
さらに、信号線の高周波インピーダンスを調整できるように、前記金属網の網目の交点を不規則な位置に配置して、網目の形状と大きさが不均一（ランダム）にした平型柔軟ケーブル（特許文献１）も知られている。
また、高周波インピーダンスが調整された回路基板として、複数の信号線の上下に、信号線に沿って複数の開口を設けたシールド板を配置し、信号線の長さや断面積に対応させて開口の大きさ（開口率）を変化させた回路基板（特許文献２）や、信号線の上下に格子状の遮蔽グリッドを配置し、かつ上下の遮蔽グリッドを信号線の延びる方向でずらした構成の回路基板（特許文献３）などが知られている。
【０００３】
【特許文献１】特開平１０−１１２２２４号公報（図１、２）
【特許文献２】特許第３３９７７０７号公報（図１〜４）
【特許文献３】特表平８−５０６６９６号公報（図１、２）
【発明の開示】
【発明が解決しようとする課題】
【０００４】
ところで、上記の網導体の網目をランダムとした平型柔軟ケーブルは、可撓性絶縁基板上での信号線のトレースパターンの設計に自由度が得られるものであったが、例えば、特性インピーダンスは、網導体の開口率を大きくするに従って増加する傾向にあるため、任意な一定の特性インピーダンスで考えると、網導体の網目を粗くする（開口率は大きくなる）ほどトレース幅を広くできる一方で、開口率を大きくするに従って網導体による電磁シールドの効果が弱まるという関係にあったが、この特性インピーダンスを調整するに当たり、調整できる箇所が一つの層に限られて、調整の自由度が小さい問題があった。
そこでこの発明は、このような網目の開口率と特性インピーダンスの関係に基づいて、信号線のトレースパターンやトレース幅などの設計に、より一層の自由度が得られると共に、特性インピーダンスの調整の上でも、より一層の自由度が得られる信号伝達基板を提供することを目的としている。
さらに加えて、ここで提案する信号伝達基板とコネクタの信頼性の高い接続構造を提案することを別の目的としている。
【課題を解決するための手段】
【０００５】
上記の目的のもとになされたこの発明の信号伝達基板は、絶縁基板の一面の一つの端部から他の端部に亘って少なくとも１本の信号線が設けられていると共に、前記絶縁基板の両面に網導体が積層されており、前記網導体の網目が、ランダムに形成されていることを特徴とする信号伝達基板である。
【０００６】
前記網導体の網目をランダムにするには、網目の大きさをランダムにしたり、網目の形状や網目を構成する導体の交点をランダムにすることによって行う。
【０００７】
また、この発明の信号伝達基板とコネクタの接続構造は、絶縁基板の一面の一つの端部から他の端部に亘って少なくとも１本の信号線が設けられていると共に、前記絶縁基板の両面に、網導体が積層されている信号伝達基板と、この信号伝達基板用のコネクタとの接続構造であって、前記信号伝達基板の接続端部において、前記絶縁基板の一面側に、前記信号線と導通している信号用接点パッドと、前記一面側に積層した網導体と導通しているグランド用接点パッドが並列して設けられ、前記絶縁基板の他面側に、前記信号用接点パッドと絶縁基板を挟んで対向するダミーパッドと、前記他面側に積層した網導体と導通し、かつ前記グランド用接点パッドと絶縁基板を挟んで対向するグランド用接点パッドが並列して設けられ、絶縁基板を挟んで対向させた信号用接点パッドとダミーパッド並びにグランド用接点パッドとグランド用接点パッドがそれぞれ、前記コネクタに設けられた端子の、対向する２本のコンタクトビームで挟持され、各コンタクトビームのコンタクトと対応する接点パッドが所定の接圧で当接、係合していることを特徴とする接続構造である。
【０００８】
また、絶縁基板の一面の一つの端部から他の端部に亘って少なくとも１本の信号線が設けられていると共に、前記絶縁基板の両面に、網導体が積層されている信号伝達基板と、この信号伝達基板用のコネクタとの接続構造であって、前記信号伝達基板の接続端部において、前記絶縁基板の一面側に、前記信号線と導通している信号用接点パッドと、前記一面側に積層した網導体と導通しているグランド用接点パッドが並列して設けられ、前記絶縁基板の他面側に、前記信号用接点パッドと絶縁基板を挟んで対向するダミーパッドと、前記他面側に積層した網導体と導通し、かつ前記グランド用接点パッドと絶縁基板を挟んで対向するグランド用接点パッドが並列して設けられ、前記絶縁基板の一面側に設けた信号用接点パッドとグランド用接点パッドに、前記コネクタに設けられた端子のコンタクトが所定の接圧で当接、係合していると共に、前記絶縁基板の一面側に設けたグランド用接点パッドと他面側に設けたグランド用接点パッドが、絶縁基板を通して導通させてあることを特徴とする接続構造である。
【発明の効果】
【０００９】
上記のように構成したこの発明の信号伝達基板によれば、信号線に対してランダムな網目の網導体が複数設けられた構成なので、網目の形状、大きさ、交点等の変化できる箇所を増すことができる。この結果、信号線のトレースパターンやトレース幅などの設計に対する自由度を大きくすることができる。また、特性インピーダンスの調整についても同様で、調整の自由度を大きくすることができる。さらに、網導体を信号線が設けられている基板の両面に積層したので、一つの面のみに設けた信号伝達基板に比べて、電磁シールド効果も増大している。
また、この発明の信号伝達基板とコネクタの接続構造によれば、絶縁基板の端部において、一面に信号用接点パッドとグランド用接点パッドを並列させ、他面には、前記信号用接点パッドと絶縁基板を挟んで対向するダミーパッドと前記グランド用接点パッドと絶縁基板を挟んで対向するグランド用接点パッドを並列させて、これらの接点パッドにコネクタ側の端子のコンタクトが当接、係合するようにしたので、各コンタクトと接点パッドの当接圧を、接点パッド間でばらつくことなく均衡させて、信頼性の高い接続を確保することができる。
【発明を実施するための最良の形態】
【００１０】
次に、この発明を信号伝達基板の一つである平型柔軟ケーブルで実施した形態を添付の図を参照して説明する。
【００１１】
図１Ａは実施形態の平型柔軟ケーブル１０を分解して示している。信号線２０が平型帯状の可撓性絶縁基板３０の一面（上面）に２本、可撓性絶縁基板３０の長手方向に沿って設けられている。信号線２０は、可撓性絶縁基板３０の端部において、信号用接点パッド２１に連続している。可撓性絶縁基板３０の端部の他面（下面）には、各信号用接点パッド２１と可撓性絶縁基板３０を挟んで対向するダミーパッド４１が設けられている。ダミーパッド４１の形状と厚さは、グランド用接点パッド６３と同一にしてある。尚、一方の端部に設けられたダミーパッド４１と他方の端部に設けられたダミーパッド（図１Ａには表れていない）４１の間は何も設けられていない。
【００１２】
このようにして信号線２０が設けられた可撓性絶縁基板３０の一面（上面）および他面（下面）に、それぞれ信号線２０を、主に電磁波からシールドするための網導体５０、６０が積層されている。一面に積層された網導体５０は、第２の可撓性絶縁基板７０の上に設けられている。第２の可撓性絶縁基板７０は、信号線２０を設けた可撓性絶縁基板３０と同じ幅の平型帯状をしており、端部には信号用接点パッド２１を露出させるための細長い切り欠き７１が、各信号用接点パッド２１に合せて形成されている。そして、網導体５０に連続して第２の可撓性絶縁基板７０の端部に延びている導電部分５１にも前記切り欠き７１と合致させた切り欠き５２が形成されて、切り欠き５２を挟んでグランド用接点パッド５３が並列している。
【００１３】
可撓性絶縁基板３０の他面に積層された網導体６０は直接積層されている。この網導体６０も端部に導電部分６１が連続しており、導電部分６１には細長い切り欠き６２が形成されて、切り欠き６２を挟んでグランド用接点パッド６３が並列している。
【００１４】
図２は上記の可撓性絶縁基板３０、７０および網導体５０、６０を積層して完成した平型柔軟ケーブル１０の一つの端部を表している。尚、図中、符号８０は、網導体５０、６０の外側に被せた保護シートである。平型柔軟ケーブル１０の端部において、一面（上面）には、信号線２０と導通している信号用接点パッド２１と、網導体５０と導通しているグランド用接点パッド５３が並列している。また、端部の他面（下面）には、信号用接点パッド２１と可撓性絶縁基板３０を挟んで対向しているダミーパッド４１と、網導体６０と導通し、そして前記グランド用接点パッド５３と可撓性絶縁基板３０、７０を挟んで対向しているグランド用接点パッド６３が並列している。
【００１５】
図３には、このように構成された平型柔軟ケーブル１０の端部の断面（例えば、図２のＡ−Ａ断面）構成を示し、図４には中間の網導体５０、６０の部分の断面構成を示した。これらは断面構成を表しているのみであって、実際の寸法（特に厚さ）には対応していない。
【００１６】
前記網導体５０、６０は、図１Ｂ、１Ｃに拡大して示したように、それぞれ導体５４、６４と導体５４、６４の交点５５、６５の位置を乱数表に基づいて位置設定し、結果として網目５６、６６の形状と大きさが不均一なランダムな網目５６、６６としたものである。一面に設けた網導体５０の網目５６と他面に設けた網導体６０の網目６６とは一致していないものとしてある。
【００１７】
以上のように構成された信号伝達基板である平型柔軟ケーブル１０において、信号線２０の特性インピーダンスについてみると、各信号線２０と網導体５０、６０の導体５４、６４とが交差する位置は、それぞれランダムに表れるので、結果として各信号線２０の特性インピーダンスを略均一にすることができる。網導体５０、６０の網目５６、６６がランダムとされて、導体５４、６４が延びる方向も不定となっているので、信号線２０のトレースパターンやトレース幅の設計に大きな自由度を与えることができる。
【００１８】
また、信号線２０の特性インピーダンスをある任意の値に調整しようとする場合には、一面に設けた網導体５０のランダムな網目５６の形状や大きさの調整と他面に設けた網導体６０のランダムな網目６６の形状や大きさの調整並びに２枚の可撓性絶縁基板３０、７０の厚さの調整が可能で、多くの調整箇所によって調整の自由度を大きくすることができる。
【００１９】
尚、上記では、信号伝達基板の一つとして平型柔軟ケーブル１０の場合を説明したが、可撓性絶縁基板３０、７０を非可撓性の絶縁基板として、通常のプリント回路基板のような信号伝達基板とすることもできる。また、信号線２０は、実施形態のように２本に限定されるものではなく、１本または３本以上とすることもできる。
【００２０】
次に、前記実施形態の平型柔軟ケーブル１０とケーブル用コネクタ９０の接続構造について説明する。この接続構造が図５に示されている。ケーブル用コネクタ９０は、互いに対向する上側コンタクトビーム９１と下側コンタクトビーム９２を二股状に有する端子９３が複数、並列状態で絶縁ハウジング９４に装着した構造を有している。複数の端子９３は、平型柔軟ケーブル１０の端部一面に並列して設けられたグランド用接点パッド５３および信号用接点パッド２１の並列ピッチに合わせて装着されている。各端子９３の二股状の上側コンタクトビーム９１と下側コンタクトビーム９２の対向部を開閉操作するためのアクチュエータ９５が絶縁ハウジング９４に組み付けられている。
【００２１】
アクチュエータ９５は、図５に示した接続位置と、矢示９６の方向に回動乃至姿勢変化させた開放位置の間で位置変化できるようにされている。アクチュエータ９５を開放位置にすると、上側コンタクトビーム９１と下側コンタクトビーム９２の対向間隔が拡がり、ケーブル挿入口９７を通して平型柔軟ケーブル１０を挿入できるようになっている。一方、アクチュエータ９５を接続位置にすると、上側コンタクトビーム９１と下側コンタクトビーム９２の対向間隔が狭まるようになっている。
【００２２】
平型柔軟ケーブル１０を挿入した後、アクチュエータ９５を操作して接続位置にすると、上側コンタクトビーム９１と下側コンタクトビーム９２は、対向間隔を狭めて、弾性変形を伴いながら平型柔軟ケーブル１０の端部を挟持する。各端子９３の上側コンタクトビーム９１のコンタクト部９１ａが平型柔軟ケーブル１０の一面に設けた信号用接点パッド２１およびグランド用接点パッド５３のうちの対応するパッドに圧接、係合する。また、各端子９３の下側コンタクトビーム９２のコンタクト部９２ａが平型柔軟ケーブル１０の他面に設けたダミーパッド４１およびグランド用接点パッド６３のうちの対応するパッドに圧接、係合する。
【００２３】
平型柔軟ケーブル１０の端部において、ダミーパッド４１およびグランド用接点パッド６３は、それぞれ可撓性絶縁基板３０の他面に設けられているので、各パッドの表面を略面一にすることができる。ダミーパッド４１の厚さとグランド用接点パッド６３の厚さを略同一とすることによって可能である。
【００２４】
一方、信号用接点パッド２１およびグランド用接点パッド５３を設けた可撓性絶縁基板３０の一面側においては、図３では理解しやすくするため段差をもって示されているが、信号用接点パッド２１の厚さと、第２の可撓性絶縁基板７０の厚さにグランド用接点パッド５３の厚さを加えた厚さを略同一として、各パッドの表面を略面一にすることができる。また、信号用接点パッド２１の厚さと、第２の可撓性絶縁基板７０の厚さにグランド用接点パッド５３の厚さを加えた厚さの差が、各端子９３の上側コンタクトビーム９１および下側コンタクトビーム９２の弾性変形によって吸収できる程度であれば、実質的に各パッドの表面を略面一とみなすことができる。
【００２５】
かくして、平型柔軟ケーブル１０の端部に設けた信号用接点パッド２１、グランド用接点パッド５３、６３並びにダミーパッド４１には、端子９３のコンタクト部９１ａ、９２ａが電気的接続に適度の所定の接圧で当接、係合し、信頼性の高い接続を形成することができる。
【００２６】
可撓性絶縁基板３０の一面に積層した網導体５０と他面に積層した網導体６０は、ケーブル用コネクタ９０の端子９３によって電気的に導通し、共通の電位（グランド）にすることができる。この結果、平型柔軟ケーブル１０の端部一面側のグランド用接点パッド５３と他面側のグランド用接点パッド６３を、めっきスルーホール（ｖｉａ）や導電性バンプ（次の実施形態で説明される）などによって導通を図る加工を不要にすることができる。
【００２７】
図６には別の接続構造が示されている。ここで用いられているケーブル用コネクタ１００は、各端子１０１から１本のコンタクトビーム１０２がケーブル受入空洞１０３に延びている。ケーブル受入空洞１０３に平型柔軟ケーブル１０を挿入し、アクチュエータ１０４を鎖線図示の位置からケーブル受入空洞１０３内へ実線図示のように押し込んで接続状態とすることができるようになっている。
【００２８】
アクチュエータ１０４を押し込んで接続状態にすると、各端子１０１のコンタクトビーム１０２が弾性変形し、コンタクト部１０２ａを平型柔軟ケーブル１０の端部一面に並列して設けた信号用接点パッド２１およびグランド用接点パッド５３のうちの対応するパッドに圧接、係合させる。平型柔軟ケーブル１０の端部一面および他面の各接点パッド２１、４１、５３、６３は前記と同様で略面一にできるので、コンタクト部１０２ａを信号用接点パッド２１およびグランド用接点パッド５３に電気的接続に適度の所定の接圧で圧接、係合させて、信頼性の高い接続を形成することができる。
【００２９】
尚、この接続構造の場合、平型柔軟ケーブル１０の端部一面に設けたグランド用接点パッド５３と他面に設けたグランド用接点パッド６３が端子１０１を介して導通しない。したがって、平型柔軟ケーブル１０の端部に、図７のように、グランド用接点パッド５３とグランド用接点パッド６３の導通を図るめっきスルーホール１０５を設けるようにする。あるいは、図８のように、可撓性絶縁基板３０に網導体５０、６０を積層する際に、他面側に積層する網導体６０のグランド用接点パッド６３上に導電性バンプ６７を配置し、可撓性絶縁基板３０に形成した穴３１および第２の可撓性絶縁基板７０に形成した穴７２を通して一面側に積層する網導体５０のグランド用接点パッド５３に圧着するようにして、両者の導通を図るようにしても良い。
【００３０】
また、平型柔軟ケーブル１０の端部他面に設けたダミーパッド４１は、電気的に浮いた状態となる。電気的に浮いた状態が望ましくない場合には、前記グランド用接点パッド５３、６３間に設けためっきスルーホール１０５や導電性バンプ６７と同様の手法で信号用接点パッド２１との導通を図ることもできる。
【００３１】
平型柔軟ケーブル１０を通常のプリント回路基板のような信号伝達基板とした場合でも、上記と同様の接続構造を構成することが可能であり、信頼性の高い接続構造を実現することができる。
【図面の簡単な説明】
【００３２】
【図１Ａ】この発明の実施形態の平型柔軟ケーブルを分解して示した斜視図である。
【図１Ｂ】同じく、実施形態の平型柔軟ケーブルを構成した一方の網導体の一部拡大図である。
【図１Ｃ】同じく、実施形態の平型柔軟ケーブルを構成した他方の網導体の一部拡大図である。
【図２】同じく、実施形態の平型柔軟ケーブルの一端部の拡大斜視図である。
【図３】同じく、実施形態の平型柔軟ケーブルの端部の構造図である。
【図４】同じく、実施形態の平型柔軟ケーブルの中間部の構造図である。
【図５】この発明の実施形態の平型柔軟ケーブルとケーブル用コネクタの接続構造を表す断面図である。
【図６】この発明の別の実施形態の平型柔軟ケーブルとケーブル用コネクタの接続構造を表す断面図である。
【図７】平型柔軟ケーブルの端部一面のグランド用接点パッドと他面のグランド用接点パッドを導通させるめっきスルーホールの部分の構造図である。
【図８】同じく、平型柔軟ケーブルの端部一面のグランド用接点パッドと他面のグランド用接点パッドを導通させる導電性バンプの部分の分解構造図である。
【符号の説明】
【００３３】
１０          平型柔軟ケーブル
２０          信号線
２１          信号用接点パッド
３０          可撓性絶縁基板
３１          穴
４１          ダミーパッド
５０          網導体
５１          導電部分
５２          切り欠き
５３          グランド用接点パッド
５４          導体
５５          交点
５６          網目
６０          網導体
６１          導電部分
６２          切り欠き
６３          グランド用接点パッド
６４          導体
６５          交点
６６          網目
６７          導電性バンプ
７０          第２の可撓性絶縁基板
７１          切り欠き
７２          穴
８０          保護シート
９０          ケーブル用コネクタ
９１          上側コンタクトビーム
９１ａ        コンタクト部
９２          下側コンタクトビーム
９２ａ        コンタクト部
９３          端子
９４          絶縁ハウジング
９５          アクチュエータ
９７          ケーブル挿入口
１００        ケーブル用コネクタ
１０１        端子
１０２        コンタクトビーム
１０２ａ      コンタクト部
１０３        ケーブル受入空洞
１０４        アクチュエータ
１０５        めっきスルーホール
【図１Ａ】
2005244029.tif 000003
【図１Ｂ】
2005244029.tif 000004
【図１Ｃ】
2005244029.tif 000005
【図２】
2005244029.tif 000006
【図３】
2005244029.tif 000007
【図４】
2005244029.tif 000008
【図５】
2005244029.tif 000009
【図６】
2005244029.tif 000010
【図７】
2005244029.tif 000011
【図８】
2005244029.tif 000012